(57)【要約】      （修正有）【課題】測定装備用ハウジングおよびこれを含む測定装備を提供する。【解決手段】測定装備用ハウジング１００は、測定装置３００を収容し、本体１１０、第１ドア１２０、及び第２ドア１３０を含む。本体１１０は、所定領域が開放される。第１ドア１２０は、本体１１０と結合され、本体１１０の開放された所定領域の少なくとも一部をカバーする。第２ドア１３０は、本体１１０と結合され、本体１１０の開放された所定領域の少なくとも一部をカバーし、前面にディスプレーユニット２００が装着されて第１面から第２面に向かって回転が可能である。したがって、ディスプレーユニット２００が装着されるための空間を減少させ、ディスプレーユニット２００の観測範囲を増加させることができる。【選択図】図３
2010261947.tif 000002
【特許請求の範囲】
【請求項１】
測定装置を収容する測定装備用ハウジングにおいて、
所定領域が開放された本体と、
前記本体と結合され、前記本体の開放された前記所定領域の少なくとも一部をカバーする第１ドアと、
前記本体と結合され、前記本体の開放された前記所定領域の少なくとも一部をカバーし、第１面から第２面に回転するディスプレーユニットが装着された第２ドアと、を含むことを特徴とする測定装備用ハウジング。
【請求項２】
前記第２ドアは、
前記本体を基準として第１回転可能な第１回転板と、
前記第１回転板を基準として第２回転可能であって前面に前記ディスプレーユニットが装着された第２回転板と、を含むことを特徴とする請求項１に記載の測定装備用ハウジング。
【請求項３】
前記第２ドアは、
前記本体を基準として前記第１回転可能であるように前記本体とヒンジ結合される第１回転結合部と、
前記第１回転板を基準として前記第２回転可能であるように前記第１回転板とヒンジ結合される第２回転結合部と、を更に含むことを特徴とする請求項２に記載の測定装備用ハウジング。
【請求項４】
前記第１回転板は、前記本体を基準として前記本体の前面に略平行な位置から略垂直な位置まで少なくとも約９０°に回転可能であるように前記本体と結合されたことを特徴とする請求項２に記載の測定装備用ハウジング。
【請求項５】
前記ディスプレーユニットは、前記第２回転板に固定及び結合され、前記第１回転板を基準として前記第１回転板の前面から背面まで回転可能であるように前記第２回転板と結合されたことを特徴とする請求項２に記載の測定装備用ハウジング。
【請求項６】
前記第２ドアが開く時、前記第１回転板は第１回転方向に第１回転し、前記第２回転板は前記第１回転方向と異なる第２回転方向に第２回転し、
前記第２ドアが閉まる時、前記第１回転板は前記第２回転方向に第１回転し、前記第２回転板は前記第１回転方向に第２回転することを特徴とする請求項２に記載の測定装備用ハウジング。
【請求項７】
前記第１ドアおよび前記第２ドアが閉まる時、前記本体の開放された前記所定領域は閉鎖されることを特徴とする請求項１に記載の測定装置用ハウジング。
【請求項８】
前記第１ドアは、略垂直方向に移動して前記開放された所定領域の少なくとも一部を開閉し、
前記第２ドアは、略水平方向に移動して前記開放された所定領域の少なくとも一部を開閉することを特徴とする請求項１に記載の測定装備用ハウジング。
【請求項９】
測定装置と、
前記測定装置を収容し、
所定領域の開放された本体と、
前記本体と結合され、前記本体の開放された前記所定領域の少なくとも一部をカバーする第１ドアと、
前記本体と結合され、前記本体の開放された前記所定領域の少なくとも一部をカバーし、前記本体を基準として第１回転可能な第１回転板および前記第１回転板を基準として第２回転可能な第２回転板を含む第２ドアと、を含むハウジングと、
前記第２ドアの前記第２回転板の前面に装着されたディスプレーユニットと、を含むことを特徴とする測定装備。
【請求項１０】
前記第１ドアは、略垂直方向に移動して前記開放された所定領域の少なくとも一部を開閉し、
前記第２ドアは、略平行に移動して前記開放された所定領域の少なくとも一部を開閉することを特徴とする請求項９に記載の測定装備。
【請求項１１】
前記第１回転板は、前記本体を基準として前記本体の前面と略平行な位置から略垂直な位置まで少なくとも約９０°に回転可能であるように前記本体と結合され、
前記ディスプレーユニットは、前記第２回転板に固定及び結合され、前記第１回転板を基準として前記第１回転板の前面から背面まで回転可能であるように前記第２回転板と結合されたことを特徴とする請求項９に記載の測定装備。
【請求項１２】
前記ディスプレーユニットは、
画像を表示する表示部と、
外部から情報の入力を受ける入力部と、
前記表示部および前記入力部を互いに結合し、前記入力部が前記表示部に対して回転可能であるように結合する結合部と、を含むことを特徴とする請求項９に記載の測定装備。
【請求項１３】
前記ディスプレーユニットは、
前記表示部の背面に配置され、前記表示部の高さおよび傾斜角のうち、少なくとも一つを調節する位置調節部を更に含むことを特徴とする請求項１２に記載の測定装備。
【請求項１４】
前記第２ドアが開く時、前記第１回転板は第１回転方向に前記第１回転し、前記第２回転板は前記第１回転方向と異なる第２回転方向に第２回転し、
前記第２ドアが閉まる時、前記第１回転板は前記第２回転方向に第１回転し、前記第２回転板は前記第１回転方向に第２回転することを特徴とする請求項９に記載の測定装備。
【請求項１５】
測定装置を収容する測定装備用ハウジングにおいて、
所定領域が開放された本体と、
前記本体と結合され、第１面から第２面に回転するディスプレーユニットが装着されたディスプレー装着部と、
前記本体と結合されて前記本体の開放された前記所定領域の少なくとも一部をカバーするドアと、を含むことを特徴とする測定装備用ハウジング。
【請求項１６】
前記ディスプレー装着部は、
前記本体を基準として第１回転可能な第１回転板と、
前記第１回転板を基準として第２回転可能であって前面に前記ディスプレーユニットが装着された第２回転板と、を含むことを特徴とする請求項１５に記載の測定装備用ハウジング。
【請求項１７】
前記ドアには段差部が形成され、前記ディスプレー装着部が配置されるように収容空間が形成されたことを特徴とする請求項１６に記載の測定装備用ハウジング。
【発明の詳細な説明】
【技術分野】
【０００１】
本発明は、測定装備用ハウジングおよびこれを含む測定装備に関わり、より詳細には、ディスプレーユニットの装着された測定装備用ハウジングおよびこれを含む測定装備に関する。
【背景技術】
【０００２】
一般的に、３次元形状測定装置のような測定装備は、測定装置を収容するハウジングを具備し、前記ハウジングには、測定状態をモニタリング(ｍｏｎｉｔｏｒｉｎｇ)するディスプレーユニットが装着される。
【０００３】
従来の測定装備は、ディスプレーユニットがハウジングに固定されて装着されているか、あるいはハウジングから突出された突出部に装着されている。
【０００４】
前記ディスプレーユニットがハウジングに固定されて装着された場合、使用者の作業位置によって前記ディスプレーユニットは回転できないため、使用者が希望する多様な位置で前記ディスプレーユニットを観測できないという問題点がある。
【０００５】
前記ディスプレーユニットがハウジングから突出された突出部に装着された場合、使用者の作業位置によって前記ディスプレーユニットが回転するように構成することはできるが、前記突出部がハウジングから突出しただけ空間を占めるようになる。前記ディスプレーユニットが広い角度に回転されるようにするためには、前記突出部の突出長さを十分に長くするべきであるが、この場合、前記突出された部分が占める空間によって空間が狭くなるという問題点が発生する。さらに、このような突出部は、作業中だけでなく作業中ではない時にもいつも空間を占めるため、空間が狭くなる問題点と共に作業者の負傷を招く可能性がある。また、空間を確保するために突出部の長さを減少させる場合には、回転角が小さくなるため使用者の望む多様な位置で前記ディスプレーユニットを観測できないという問題点がある。
【発明の概要】
【発明が解決しようとする課題】
【０００６】
そこで、本発明は、上記問題に鑑みてなされたものであり、本発明の目的とするところは、ディスプレーユニットの観測角度を広くしながらも空間を確保することが可能な測定装備用ハウジングを提供することにある。更に、本発明の目的は、前記ハウジングを含む測定装備を提供することにある。
【課題を解決するための手段】
【０００７】
本発明の一実施形態に係る測定装備用ハウジングは、測定装置を収容し、本体、第１ドア、及び第２ドアを含む。前記本体は、所定領域が開放される。前記第１ドアは、前記本体と結合され、前記本体の開放された前記所定領域の少なくとも一部をカバーする。前記第２ドアは、前記本体と結合され、前記本体の開放された前記所定領域の少なくとも一部をカバーし、前面にディスプレーユニットが装着され、第１面から第２面に向かって回転可能である。
【０００８】
前記第２ドアは、前記本体を基準にして第１回転可能なように前記本体にヒンジ結合された第１回転結合部と、前記第１回転板を基準にして第２回転可能なように前記第１回転板にヒンジ結合された第２回転結合部と、を更に含んでもよい。
【０００９】
前記第１回転板は、前記本体を基準として前記本体の前面と略平行な位置から略垂直な位置まで少なくとも約９０°に回転可能であるように前記本体と結合されてもよい。
【００１０】
前記ディスプレーユニットは、前記第２回転板に固定及び結合され、前記第１回転板を基準として前記第１回転板の前面から背面まで回転可能であるように前記第２回転板と結合されてもよい。
【００１１】
前記第２ドアが開く時、前記第１回転板は第１回転方向に第１回転し、前記第２回転板は前記第１回転方向と異なる第２回転方向に第２回転してもよい。前記第２ドアが閉まる時、前記第１回転板は前記第２回転方向に第１回転し、前記第２回転板は前記第１回転方向に第２回転してもよい。
【００１２】
例えば、前記第１ドアおよび前記第２ドアが閉まる時、前記本体の開放された前記所定領域は閉鎖してもよい。
【００１３】
前記第１ドアは、略垂直方向に移動して前記開放された所定領域の少なくとも一部を開閉し、前記第２ドアは、略平行に移動して前記開放された所定領域の少なくとも一部を開閉してもよい。
【００１４】
本発明の一実施の形態に係る測定装備は、測定装置、ハウジング、及びディスプレーユニットを含む。前記ハウジングは、前記測定装置を収容する。前記ハウジングは、所定領域が開放された本体と、前記本体と結合され、前記本体の開放された前記所定領域の少なくとも一部をカバーする第１ドアと、前記本体と結合され、前記本体の開放された前記所定領域の少なくとも一部をカバーし、前記本体を基準として第１回転可能な第１回転板および前記第１回転板を基準として第２回転可能な第２回転板を含む第２ドアを含む。前記ディスプレーユニットは、前記第２ドアの前記第２回転板の前面に装着される。
【００１５】
前記第１回転板は、前記本体を基準として前記本体の前面と略平行な位置から略垂直な位置まで少なくとも約９０°に回転可能であるように前記本体と結合されてもよい。前記ディスプレーユニットは、前記第２回転板に固定され、前記第１回転板を基準として前記第１回転板の前面から背面まで回転可能であるように前記第２回転板と結合されてもよい。
【００１６】
一実施の形態では、前記ディスプレーユニットは、前記第２ドアに結合されて画像を表示する表示部と、外部から情報の入力を受ける入力部と、前記表示部および前記入力部を結合し、前記入力部が前記表示部に対して回転可能であるように結合する結合部と、を含んでもよい。また、前記ディスプレーユニットは、前記表示部の背面に配置され、前記表示部の高さおよび傾斜角のうち、少なくとも一つを調節する位置調節部を更に含んでもよい。
【００１７】
前記第２ドアが開く時、前記第１回転板は第１回転方向に第１回転し、前記第２回転板は前記第１回転方向と異なる第２回転方向に第２回転してもよい。前記第２ドアが閉まる時、前記第１回転板は前記第２回転方向に第１回転し、前記第２回転板は前記第１回転方向に第２回転してもよい。
【００１８】
本発明の他の実施の形態に係る測定装備用ハウジングは、測定装置を収容し、本体、ディスプレー装着部、及びドアを含む。前記本体は、所定領域が開放される。前記ディスプレー装着部は、前記本体と結合され、前面にディスプレーユニットが装着され、第１面から第２面に向かって回転される。前記ドアは、前記本体と結合されて前記本体の前記開放された所定領域の少なくとも一部をカバーしてもよい。
【００１９】
一実施の形態では、前記ディスプレー装着部は、前記本体を基準として第１回転可能な第１回転板と、前記第１回転板を基準として第２回転可能であって前面に前記ディスプレーユニットが装着された第２回転板と、を含む。
【００２０】
前記ディスプレー装着部が配置される収容空間が形成されるように前記ドアに段差部を形成してもよい。
【００２１】
上述したように、前記ディスプレーユニットは、前記測定装備用の前記ハウジングの前記ドアの前面、又は、前記ディスプレー装着部の前面に装着され、前記ディスプレーユニットが装着された前記ドア又は前記ディスプレー装着部は前面から背面に回転されることにより、前記ディスプレーユニットを装着するために必要な空間を大幅に減少させることができる。
【００２２】
また、前記ドア又は前記ディスプレー装着部は、前記ハウジングの前記本体を基準にして二重に回転することにより、ディスプレーユニットの回転角を拡大し、ディスプレーユニットを装着する空間も減少させることができる。
【００２３】
また、前記測定装置を利用して測定、検査等を操作する作業者は、前記ディスプレーユニットを容易に観測でき、前記作業者が前記ハウジング内部に頭を入れた状態でも前記ディスプレーユニットを容易に観測できる。その結果、前記ディスプレーユニットの観測範囲を増加させることができる。
【００２４】
上述の一般的な説明と、以下の詳細な説明の双方は、例示的かつ説明的であり、請求された発明の更なる詳細な説明を提供することを目的とすることを理解すべきである。
【発明の効果】
【００２５】
本発明によると、ディスプレーユニットを測定装備用ハウジングのドア、または、別途のディスプレー装着部の前面に装着し、前記ドア、または、前記ディスプレー装着部の前面に装着されたディスプレーユニットが背面に向かって回転可能であるようにすることによって、前記ディスプレーユニットが装着されるための必要空間を大幅減少させることができる。
【００２６】
また、前記ドア、または、前記ディスプレー装着部が前記ハウジングの本体を基準として二重で回転可能であるようにすることによって、前記ディスプレーユニットの回転角度を広くしながらも前記ディスプレーユニットが装着されるための空間を減少させることができる。
【００２７】
また、測定装置を利用して、測定、検査などの作業を行う作業者が前記ディスプレーユニットを容易に観測できるだけでなく前記測定装置を利用して作業する作業者が前記ハウジングの内部へ頭を入れた状態でも前記ディスプレーユニットを容易に観測できるなど、前記ディスプレーユニットの観測範囲を増加させることができる。
【図面の簡単な説明】
【００２８】
【図１】本発明の一実施形態に係る測定装備を示した斜視図である。
【図２】図１に示した測定装備のハウジングの第１ドアを開放した状態を示した斜視図である。
【図３】図１に示した測定装備のハウジングの第１ドアおよび第２ドアを開放した状態を示した斜視図である。
【図４】図１に示した第２ドアおよびディスプレーユニットを拡大して示した斜視図である。
【図５】図４に示した第２ドアおよびディスプレーユニットを背面から示した斜視図である。
【図６】図３に示した第２ドアおよびディスプレーユニットを拡大して示した斜視図である。
【図７】図6に示した第２ドアおよびディスプレーユニットを背面から示した斜視図である。
【図８】図４および図５に示したディスプレーユニットの観測範囲を説明するための概念図である。
【図９】図４および図５に示したディスプレーユニットの観測範囲を説明するための概念図である。
【図１０】図４に示したディスプレーユニットの具体的な構成を説明するための斜視図である。
【図１１】図４に示したディスプレーユニットの具体的な構成を説明するための分解斜視図である。
【図１２】本発明の他の実施形態に係る測定装備の一部を示した斜視図である。
【発明を実施するための形態】
【００２９】
本発明は多様に変更することができ、多様な形態を有することができること、特定の実施形態を図面に例示して本文に詳細に説明する。しかし、これは、本発明を特定の開示形態に限定するのではなく、本発明の思想及び技術範囲に含まれる全ての変更、均等物、乃至代替物を含むことを理解すべきである。
【００３０】
第１、第２、第３等の用語は、多様な構成要素を説明するために使用されるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。
【００３１】
本出願において用いた用語は、特定の実施の形態のみを説明するためのものであって、本発明を限定するのではない。単数の表現は、文脈上、明白に相違が示されない限り、複数の表現を含む。本出願において、「含む」または「有する」等の用語は、明細書上に記載された特徴、数字、ステップ、動作、構成要素、部品、又はこれらを組み合わせたものが存在することを意図するものであって、一つまたはそれ以上の他の特徴や数字、ステップ、動作、構成要素、部品、又はこれらを組み合わせたもの等の存在または付加の可能性を予め排除しないことを理解しなければならない。
【００３２】
なお、異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的であるか過度に形式的な意味に解釈されない。
【００３３】
空間に関連する要件として、“下方に（beneath）”、“下方に（below）”、“下側の（lower）”、“上側に（above）”、“上方の（upper）”等は、図に示される一つの要件又は特徴と他の要件又は特徴の関係を開示する説明を容易にするために、以下で使用される。空間に関連する要件は、図において表現される動作に加えて、使用中又は動作中の装置の異なる動作を含むことを理解すべきである。例えば、図において装置が回転すれば、他の要件又は特徴の“下方に（beneath）”又は“下方に（below）”として表される要素は、その他の要件又は特徴の“上側に（above）”に配置される。このように、典型的な用語“下方に（below）”は、“上側に（above）”及び“下方に（below）”の両方向を含めることができる。装置は、他に配置される（９０°又は他方向に回転される）こと、及びここで用いられる空間に関連する記述は、適宜解釈される。
【００３４】
ここで用いられる技術用語は、特定の実施の形態のみを記述する目的であり、本発明を制限するものではない。ここで用いられる単数形“ａ”、“ａｎ”及び“ｔｈｅ”は、前後関係が明らかにされない限り、複数形も含むものとする。更に、用語“構成する（comprises）”及び／又は“構成する（comprising）”が本明細書において用いられる場合、規定された特徴、整数、ステップ、動作、要素、及び／又は構成要素の存在を示すが、一つ以上の他の特徴、整数、ステップ、動作、構成要素、及び／又はそのグループの存在または追加を排除するものではない。
【００３５】
本発明の一実施の形態は、本発明の理想化した一実施の形態の概略図（中間構造）である断面図を参照して説明する。その結果として、図面の形状からの変形例は、例えば、製造技術、及び／又は、許容範囲が予想される。その結果、本発明の一実施の形態は、ここに図示した範囲の特定の形状に限定して解釈されるものではなく、例えば、製造から生じる形状から逸脱するものも含まれる。例えば、長方形として図示された挿入部は、一般的にその端部が非挿入部に挿入されてから二元変更されるよりむしろ、挿入部の円くなった、又は湾曲した特徴、及び／又は、勾配を有している。同様に、挿入により形成される埋設領域は、埋設領域と表面との間の領域で行われる挿入の結果である。図形において図示された領域は、事実上の概要であり、それらの形状は装置の領域の実質的な形状を図示することを目的とするものではなく、本発明の範囲を制限することを目的とするものではない。  
【００３６】
以下に添付図面を参照して本発明の好適な実施形態について詳細に説明する。図１は、本発明の一実施例に係る測定装備を示した斜視図であり、図２は、図１に示した測定装備のハウジングの第１ドアを開放した状態を示した斜視図であり、図３は、図１に示した測定装備のハウジングの第１ドアおよび第２ドアを開放した状態を示した斜視図である。
【００３７】
図１〜図３を参照すると、本発明の一実施例に係る測定装備５００は、ハウジング１００、ディスプレーユニット２００、および測定装置３００を含む。
【００３８】
前記ハウジング１００は、前記測定装置３００を収容する。前記ハウジング１００は、本体１１０、第１ドア１２０、及び第２ドア１３０を含む。
【００３９】
前記本体１１０は、所定領域が開放される。前記本体１１０は、一例で、図１〜図３に示したようにほぼ六面体の形状を有し、前記所定領域は、前記六面体形状の前面に前記測定装置３００を操作する作業者のために開かれる。例えば、前記測定装置３００が３次元形状測定装置である場合、測定対象物は、例えば、開放された前記所定領域を通じて設置、又は、分離さされたプリント回路基板（ｐｒｉｎｔｅｄ  ｃｉｒｃｕｉｔ  ｂｏａｒｄ；ＰＣＢ）である。
【００４０】
前記第１ドア１２０は、前記本体１１０と結合される。前記第１ドア１２０は、開放された前記所定領域の少なくとも一部、例えば、図１に示したように前面の左側一部と前記前面と隣接した上面の一部をカバーする。前記第１ドア１２０は、前記本体１１０の上面と、例えば、ヒンジ(ｈｉｎｇｅ)結合され、前記本体１０の上面を垂直に開閉する。作業者は、前記第１ドア１２０を開いた後に前記測定装置３００を操作し、作業を終了した後に前記第１ドア１２０を閉める。
【００４１】
前記第２ドア１３０は、前記本体１１０と結合される。前記第２ドア１３０は、開放された前記所定領域の少なくとも一部、例えば、前面の右側一部をカバーする。前記第１ドア１２０と同様に、作業者は、前記第２ドア１３０を開いた後に前記測定装置３００を操作し、作業を終了した後に前記第２ドア１３０を閉める。前記第２ドア１３０は、前記本体１１０を基準として二重に回転する。よって、作業者は、前記第２ドア１３０に装着された前記ディスプレーユニット２００を容易に観測することができる。前記第２ドア１３０が二重で回転する具体的な構成および回転方式は後述する。
【００４２】
前記ディスプレーユニット２００は、前記第２ドア１３０の前面に装着される。例えば、前記ディスプレーユニット２００は、測定状態をモニタ(ｍｏｎｉｔｏ)するように前記測定装置３００と連結してもよい。
【００４３】
前記測定装置３００は、多様な測定装置が含まれる。例えば、前記測定装置３００は、プリント回路基板(ｐｒｉｎｔｅｄ  ｃｉｒｃｕｉｔ  ｂｏａｒｄ；ＰＣＢ)を検査するための３次元形状測定装置を含む。
【００４４】
以下、前記第２ドア１３０が二重で回転する具体的な構成、及び回転方式を図面を参照してより詳細に説明する。図４は、図１に示した第２ドアおよびディスプレーユニットを拡大して示した斜視図であり、図５は、図４に示した第２ドアおよびディスプレーユニットを背面から示した斜視図である。図４および図５は、図１に示したように前記第２ドア１３０が閉まっている場合の前記第２ドア１３０および前記ディスプレーユニット２００を示す。
【００４５】
図１、図４、及び図５を参照すると、前記第２ドア１３０は、第１回転板１３２および第２回転板１３４を含む。前記第１回転板１３２は、前記本体１１０を基準として第１回転可能であるように形成され、前記第２回転板１３４は、前記第１回転板１３２を基準として第２回転可能であるように形成される。この際、前記ディスプレーユニット２００は、前記第２回転板１３４の前面に装着される。一例として、図１および図４に示すように、前記第２ドア１３０が閉まっている場合には、前記第２回転板１３４が外部に露出され、前記第１回転板１３２は外部に露出されない。 また、前記第１ドア１２０および前記第２ドア１３０が閉まっている時、前記本体１１０の開放された前記所定領域は閉鎖されることがある。
【００４６】
例えば、前記第１回転板１３２は、前記本体１１０を基準として前記本体１１０の前面と平行な位置から垂直な位置まで少なくとも約９０°に回転可能であるように前記本体１１０と結合される。前記ディスプレーユニット２００は、前記第２回転板１３４に固定及び連結されて前記第１回転板１３２を基準として前記第１回転板１３２の前面から背面まで回転可能であるように前記第２回転板１３４と固定及び連結される。
【００４７】
一実施の形態では、前記第２ドア１３０は、ヒンジ結合方式を有する第１回転結合部１３６および第２回転結合部１３８を更に含む。前記第１回転結合部１３６は、固定されている前記本体１１０を基準として前記第１回転が可能であるように前記本体とヒンジ結合され、前記第２回転結合部１３８は、前記第１回転板１３２を基準として前記第２回転が可能であるように前記第１回転板１３２とヒンジ結合される。
【００４８】
第１回転板１３２が約９０°回転されていて、前記第２回転板１３４が約１８０°回転されている場合の前記第２ドア１３０の具体的な構成を図面を参照してより詳細に説明する。
【００４９】
図６は、図３に示した第２ドアおよびディスプレーユニットを拡大して示した斜視図であり、図７は、図６に示した第２ドアおよびディスプレーユニットを背面から示した斜視図である。図６および図７は、図３に示すように前記第２ドア１３０が開いていて前記ディスプレーユニット２００が中央に向かうように回転した場合の前記第２ドア１３０および前記ディスプレーユニット２００を示す。
【００５０】
図３、図６、および図７を参照すると、前記第１回転板１３２は、前記本体１１０を基準として約９０°回転されていて、前記第２回転板１３４は、前記第１回転板１３２を基準として約１８０°回転されている。
【００５１】
例えば、前記第２ドア１３０が開くとき、前記第１回転板１３２は第１回転方向に第１回転し、前記第２回転板１３４は前記第１回転方向と異なる第２回転方向に前記第２回転される。前記第２ドア１３０が閉まる時、前記第１回転板１３２は前記第２回転方向に前記第１回転し、前記第２回転板１３４は前記第１回転方向に第２回転する。図６および図７では、前記第１回転板１３２の前記第１回転方向は時計反対方向であり、前記第２回転板１３４の前記第２回転は時計方向である。
【００５２】
よって、作業者は、前記第２ドア１３０を開いた後、前記測定装置３００を操作しながら、前記ディスプレーユニット２００を観測することができる。
【００５３】
図８および図９は、図４および図５に示したディスプレーユニットの観測範囲を説明するための概念図である。図８および図９は、前記測定装備５００を上部から見る時、前記測定装置５００の一部の平面図に対応する。
【００５４】
図８を参照すると、前記第２ドア１３０が開く時、前記第１回転板１３２が前記第１回転する。前記第１回転板１３２は、例えば、前記第１および第２回転板１３２、１３４の形状と前記第１回転板１３２と前記本体１１０（図１〜図３参照)の結合方式によって決定される。例えば、前記第１回転板１３２は、０°〜１８０°まで回転することが可能である。図５では、前記第１回転板１３２は、前記第１回転板１３２と前記本体１１０の結合方式によって０°から９０°まで回転することができる。
【００５５】
前記ディスプレーユニット２００は、前記第１回転板１３２と前記ディスプレーユニット２００の間にあるように前記第２回転板１３４に配置されるため、前記ディスプレーユニット２００の観測者は、前記測定装備５００の正面から前記測定装備５００の右側までの位置で前記ディスプレーユニット２００を観測することができる。しかし、作業者が前記測定装備５００の内部に配置された測定装置３００（図２および図３参照)を操作している場合、前記第２ドア１３０は前記測定装置３００を操作中の作業者に対して十分に開いていなければならない。このため、実質的な前記ディスプレーユニット２００の観測範囲は、前記第１回転板１３２が９０°から１８０°に回転した回転角に対応する範囲になることが望ましい。この場合、作業者は、前記測定装置３００を操作中に容易に前記ディスプレーユニット２００を観測できない。
【００５６】
図９を参照すると、前記第２回転板１３４は、前記第１回転板１３２を基準として前記第２回転することができる。前記第２回転板１３４は、例えば、前記第１および第２回転板１３２、１３４の形状と結合方式によって決定され、例えば、約０°から約１８０°に回転することが望ましい。
【００５７】
図９に示したように前記ディスプレーユニット２００は、前記第２回転板１３４の前記第２回転によって図６の観測方向と反対方向から観測が可能である。また、観測者の位置によって前記第２回転の回転角を調節する場合、前記測定装備５００の前面の多くの位置で前記ディスプレーユニット２００を観測することができる。このように、例えば、前記第１回転板１３２が約９０°回転した状態での実質的な前記ディスプレーユニット２００の観測範囲は、前記第１回転板１３２が約０°から約１８０°に回転した回転角に対応する範囲になることが望ましい。したがって、作業者が前記測定装置５００の内部に配置された測定装置３００（図２および図３参照)を操作していて前記第２ドア１３０が十分に開いている場合にも、作業者は前記測定装置３００を操作中に容易に前記ディスプレーユニット２００を観測することができ、他の観測者も前記ディスプレーユニット２００を容易に観測することができる。
【００５８】
図１０は、図４に示したディスプレーユニットの具体的な構成を説明するための斜視図であり、図１１は、図４に示したディスプレーユニットの具体的な構成を説明するための分解斜視図である。
【００５９】
図４、図１０、および図１１を参照すると、ディスプレーユニット２００は、一実施の形態において、表示部２１０、入力部２２０、及び結合部２３０を含む。前記表示部２１０は画像を表示し、例えば、液晶表示装置を含む。
【００６０】
前記入力部２２０は、情報を外部から受信する。一実施の形態では、前記入力部２２０は、情報を直接受信するキーボード２２２と、キーボード２２２を支持する支持部２２４を含む。例えば、前記キーボード２２２および前記支持部２２４は一体化して形成してもよい。
【００６１】
前記結合部２３０は、前記表示部２１０、及び前記入力部２２０を結合する。前記結合部２３０は、前記入力部２２０が前記表示部２１０に対して回転可能であるように前記表示部２１０と前記入力部２２０を結合する。したがって、前記第２ドア１３０が閉まっている場合、図１０に示したように前記入力部２２０を下方に向かうように押し入れることによって前記ディスプレーユニット２００が占める空間をより効率的に減少させることができる。
【００６２】
前記ディスプレーユニット２００は、位置調節部２４０および固定部２５０を更に含む。前記位置調節部２４０は、前記表示部２１０の背面に配置され、前記表示部２１０の高さおよび傾斜角のうち、少なくとも一つを調節する。一実施の形態では、前記位置調節部２４０は、図１１に示したように、固定体２４２、傾斜調節体２４４、およびスライドガイド２４６を含んでもよい。
【００６３】
前記固定体２４２は、前記固定部２５０と連結されて前記第２ドア１３０と前記ディスプレーユニット２００とを結合する。前記傾斜調節体２４４は、前記固定体２４２とヒンジ結合されて前記表示部２１０の傾斜角を調節する。
【００６４】
前記スライドガイド２４６は、前記傾斜調節体２４４と結合され、前記傾斜調節体２４４が上下にスライドされるようにガイドすることにより、前記表示部２１０の高さを調節することができる。
【００６５】
前記固定部２５０は、前記位置調節部２４０に結合された前記ディスプレーユニット２００を前記第２ドア１３０に結合させる。図１２は、本発明の他の実施の形態に係る測定装備の一部を示した斜視図である。図１２に示した測定装備は、第１および第２ドアが一つのドアとして形成され、ディスプレーユニットが前記ドアとは別にディスプレー取り付け部に装着されることを除くと、図１に示した測定装備と実質的に同一であるため、重複する詳細な説明は省略する。
【００６６】
図１２を参照すると、本発明の他の実施の形態に係る測定装備１０００において、ハウジング７００は、ディスプレー装着部８００および測定装置３００を含む。
【００６７】
前記ハウジング７００は、本体７１０及びドア７２０を含む。前記本体７１０は、図１〜図３に示した本体１１０と実質的に同一であるため、重複する詳細な説明は省略する。
【００６８】
前記ドア７２０は、図１２に示したように、図１〜図３に示した第１ドア１２０が第２ドア１３０方向に延長された形状を有する。よって、前記ドア７２０は、図１〜図３で前記第１ドア１２０がカバーした領域だけでなく、前記第２ドア１３０がカバーしていた領域をカバーする。
【００６９】
前記ドア７２０には、ディスプレー装着部８００が配置されるように収容空間(ＳＰ)が形成される。前記収容空間(ＳＰ)には、前記ディスプレー装着部８００に加えて、図１〜図１１に示したディスプレーユニット２００が配置されるように形成してもよい。図１２では、前記収容空間(ＳＰ)は点線で表示された空間である。
【００７０】
前記収容空間(ＳＰ)は多様な方式で形成される。一実施の形態では、図１２に示したように、前記ドア７２０には、前記収容空間(ＳＰ)に対応して段差部７２２が形成される。図１２では、前記ドア７２０は開いているが、前記ドア７２０が閉まる場合、前記ドア７２０を閉めた後、前記ディスプレー装着部８００は前記収容空間(ＳＰ)内に配置される。
【００７１】
前記ディスプレー装着部８００は、前記本体７１０と結合され、前記本体７１０を基準として第１回転可能な第１回転板(図示せず)および前記第１回転板を基準として第２回転可能であって前面に前記ディスプレーユニット２００が装着される第２回転板８２０を含む。前記第１回転板および前記第２回転板８２０はそれぞれ図５〜図９に示した第１回転板１３２および第２回転板１３４と実質的に同一な原理と構成によって動作するため、重複する詳細な説明は省略する。
【００７２】
本発明によると、ディスプレーユニット２００を測定装備５００用ハウジング１００のドア１３０またはディスプレー装着部８００の前面に装着され、前記ドア１３０または前記ディスプレー装着部８００の前面に装着されたディスプレーユニット２００が前面から背面に向かって回転することによって、前記ディスプレーユニット２００が装着されるための必要な空間を大幅に減少させることができる。
【００７３】
また、前記ドア１３０または前記ディスプレー装着部８００が前記ハウジング(１００、又は７００)の本体(１１０、又は７１０)を基準として二重に回転可能であるようにすることによって、前記ディスプレーユニット２００の回転角度を広くしかつ前記ディスプレーユニット２００が装着されるための空間を減少させることができる。
【００７４】
また、測定装置３００を利用して測定、検査などの操作を行う作業者が前記ディスプレーユニット２００を容易に観測できるだけでなく、前記測定装置３００を利用して作業する作業者が前記ハウジング１００内部に頭を入れた状態でも前記ディスプレーユニット２００を容易に観測できるなど、前記ディスプレーユニット２００の観測範囲を増加させることができる。
【００７５】
以上、添付図面を参照しながら本発明の好適な実施の形態について詳細に説明したが、本発明はかかる例に限定されない。本発明の属する技術の分野における通常の知識を有する者であれば、請求の範囲に記載された技術的思想の範囲内において、各種の変更例または修正例に想到し得ることは明らかであり、これらについても、当然に本発明の技術的範囲に属するものと了解される。
【符号の説明】
【００７６】
１００、７００    ハウジング
１１０、７１０    本体
１２０    第１ドア
１３０    第２ドア
１３２    第１回転板
１３４、８２０    第２回転板
１３６    第１回転結合部
１３８    第２回転結合部
２００    ディスプレーユニット
２１０    表示部
２２０    入力部
２３０    結合部
２４０    位置調節部
２５０    固定片
３００    測定装置
５００、１０００    測定装備
７２０    ドア
８００    ディスプレー装着部
【図１】
2010261947.tif 000003
【図２】
2010261947.tif 000004
【図３】
2010261947.tif 000005
【図４】
2010261947.tif 000006
【図５】
2010261947.tif 000007
【図６】
2010261947.tif 000008
【図７】
2010261947.tif 000009
【図８】
2010261947.tif 000010
【図９】
2010261947.tif 000011
【図１０】
2010261947.tif 000012
【図１１】
2010261947.tif 000013
【図１２】
2010261947.tif 000014
【外国語明細書】
2010261947000001.pdf